(57)【要約】      （修正有）【課題】折り畳む際に、ユーザーを挟み、けがをさせることを防止できる折り畳み式載物ラックを提供する。【解決手段】折り畳み式載物ラックは、前ラック１と、後ラック２と、複数段のトレイ３と、折り畳み支持具４とを含み、複数段のトレイ３は前ラック１と後ラック２との間に回転可能に接続され、折り畳み支持具４は上リンク棒４１と下リンク棒４２を含み、上リンク棒４１の上端は前ラック１に回転可能に接続され、上リンク棒４１の下端に円弧形位置規制溝４１１が設けられ、下リンク棒４２の下端は後ラック２に回転可能に接続され、下リンク棒４２の上端に係着ブロック４２１が設けられ、上リンク棒４１の下端は下リンク棒４２の上端に回転可能に接続され、係着ブロック４２１は円弧形位置規制溝４１１に摺動可能に接続される。折り畳み式載物ラックは、折り畳まれる際に、円弧形位置規制溝４１１が係着ブロック４２１を位置規制することができる。【選択図】図１
0003228046.tif 000002
【実用新案登録請求の範囲】
【請求項１】
前ラック（１）と、後ラック（２）と、複数段のトレイ（３）と、折り畳み支持具（４）とを含み、
複数段の前記トレイ（３）は、前記前ラック（１）と前記後ラック（２）との間に設けられ、各段の前記トレイ（３）の前端の左右両側は、前記前ラック（１）に回転可能に接続され、各段の前記トレイ（３）の後端の左右両側は、後ラック（２）に回転可能に接続され、
前記折り畳み支持具（４）は、上リンク棒（４１）と下リンク棒（４２）を含み、前記上リンク棒（４１）の上端は、前記前ラック（１）に回転可能に接続され、前記上リンク棒（４１）の下端に円弧形位置規制溝（４１１）が設けられ、前記下リンク棒（４２）の下端は、前記後ラック（２）に回転可能に接続され、前記下リンク棒（４２）の上端に係着ブロック（４２１）が設けられ、前記上リンク棒（４１）の下端は、前記下リンク棒（４２）の上端に回転可能に接続され、前記係着ブロック（４２１）は、前記円弧形位置規制溝（４１１）に摺動可能に接続されることを特徴とする折り畳み式載物ラック。
【請求項２】
前記円弧形位置規制溝（４１１）は、前記上リンク棒（４１）と前記下リンク棒との接続箇所を円心とすることを特徴とする請求項１に記載の折り畳み式載物ラック。
【請求項３】
前記円弧形位置規制溝（４１１）は、半円弧であり、半円弧の両端点の接続線は、前記上リンク棒（４１）の軸方向に重なり合うことを特徴とする請求項２に記載の折り畳み式載物ラック。
【請求項４】
前記折り畳み式載物ラックが展開された場合、前記係着ブロック（４２１）は前記円弧形位置規制溝（４１１）の最高位置に位置する、ことを特徴とする請求項３に記載の折り畳み式載物ラック。
【請求項５】
前記円弧形位置規制溝（４１１）内に位置規制突出ブロック（４１１１）が設けられ、前記折り畳み式載物ラックが展開される際に、前記係着ブロック（４２１）は前記位置規制突出ブロック（４１１１）を通って摺動し、前記円弧形位置規制溝（４１１）の最高位置に到達することを特徴とする請求項４に記載の折り畳み式載物ラック。
【請求項６】
各側の前記トレイ（３）と前記前ラック（１）との接続箇所の位置は、各側の前記トレイ（３）と前記後ラック（２）との接続箇所の位置よりも高いことを特徴とする請求項１に記載の折り畳み式載物ラック。
【請求項７】
隣り合う２段の前記トレイ（３）の間の距離は、前記トレイ（３）の長さに適合することを特徴とする請求項１に記載の折り畳み式載物ラック。
【請求項８】
各段の前記トレイ（３）の底部には、それぞれ底網（３１）が設けられることを特徴とする請求項１に記載の折り畳み式載物ラック。
【請求項９】
前記前ラック（１）及び前記後ラック（２）の下方には、前記折り畳み式載物ラックを移動させるためのキャスター（５）が設けられることを特徴とする請求項１に記載の折り畳み式載物ラック。
【請求項１０】
少なくとも２つのＵ型ストッパー（６）をさらに含み、少なくとも２つの前記Ｕ型ストッパー（６）は、前記前ラック（１）及び前記後ラック（２）に対称的に設けられ、前記トレイ（３）を位置規制することを特徴とする請求項１に記載の折り畳み式載物ラック。
【考案の詳細な説明】
【技術分野】
【０００１】
本考案は、載物ラックの技術分野に関し、具体的には、折り畳み式載物ラックに関する。
【背景技術】
【０００２】
貨物運搬では、通常、載物ラックに複数段のトレイを設けることにより、より多い貨物を置き、運搬効率を向上させる。載物ラックが使用されないときに容易に収納され、占めるスペースを減少するために、載物ラックを使用する必要がないときに、載物ラックを折り畳んで収納可能な折り畳み式載物ラックが市販されている。しかしながら、従来の折り畳み式載物ラックは、リンク棒により折り畳み棒を回転させることで載物ラックを折り畳むので構造が複雑である。このような載物ラックは、多くの機構が必要であるため、コストが高く、重量が大きく、折り畳まれた後に運搬されにくい。また、２本の折り畳み棒のみが増設され、この２本の折り畳み棒の相対的な回転により折り畳みを達成する折り畳み式ラックも市販されている。しかしながら、このような載物ラックでは、折り畳む際に、２本の折り畳み棒を相対的に回転させるときにユーザを挟み、けがをする恐れがあるため、回転幅を制御する必要があり、操作の安全性が保証されにくい。
【考案の概要】
【考案が解決しようとする課題】
【０００３】
本考案は、上述した技術的問題を解決するために折り畳み式載物ラックを提供することを目的とする。
【課題を解決するための手段】
【０００４】
本考案の一態様として、前ラックと、後ラックと、複数段のトレイと、折り畳み支持具とを含み、複数段のトレイは、前ラックと後ラックとの間に設けられ、各段のトレイの前端の左右両側は、前ラックに回転可能に接続され、各段のトレイの後端の左右両側は、後ラックに回転可能に接続され、折り畳み支持具は、上リンク棒と下リンク棒を含み、上リンク棒の上端は、前ラックに回転可能に接続され、上リンク棒の下端に円弧形位置規制溝が設けられ、下リンク棒の下端は、後ラックに回転可能に接続され、下リンク棒の上端に係着ブロックが設けられ、上リンク棒の下端は、下リンク棒の上端に回転可能に接続され、係着ブロックは、円弧形位置規制溝に摺動可能に接続される折り畳み式載物ラックを提供する。
【０００５】
本考案の一実施例によれば、円弧形位置規制溝は、上リンク棒と下リンク棒との接続箇所を円心とする。
【０００６】
また、本考案の一実施例によれば、円弧形位置規制溝は、半円弧であり、半円弧の両端点の接続線は、上リンク棒の軸方向に重なり合う。
【０００７】
さらに、本考案の一実施例によれば、折り畳み式載物ラックが展開された場合、係着ブロックは円弧形位置規制溝の最高位置に位置する。
【０００８】
さらに、本考案の一実施例によれば、円弧形位置規制溝内に位置規制突出ブロックが設けられ、折り畳み式載物ラックが展開される際に、係着ブロックは位置規制突出ブロックを通って摺動し、円弧形位置規制溝の最高位置に到達する。
【０００９】
また、本考案の一実施例によれば、各側のトレイと前ラックとの接続箇所の位置は、各側のトレイと後ラックとの接続箇所の位置よりも高い。
【００１０】
また、本考案の一実施例によれば、隣り合う２段のトレイの間の距離は、トレイの長さに適合する。
【００１１】
また、本考案の一実施例によれば、各段のトレイの底部には、それぞれ底網が設けられる。
【００１２】
また、本考案の一実施例によれば、前ラック及び後ラックの下方には、折り畳み式載物ラックを移動させるためのキャスターが設けられる。
【００１３】
また、本考案の一実施例によれば、少なくとも２つのＵ型ストッパーをさらに含み、少なくとも２つのＵ型ストッパーは、前ラック及び後ラックに対称的に設けられ、トレイを位置規制する。
【考案の効果】
【００１４】
従来技術に比べて、本考案の折り畳み式載物ラックは以下の利点を有する。
本考案の折り畳み式載物ラックを折り畳む際に、トレイの前ラックに近い側を下に押圧するか、又はトレイの後ラックに近い側を上に突き上げることにより、トレイが回転すると共に、前ラックと後ラックが互いに近づき、上リンク棒と下リンク棒が回転し始め、係着ブロックが下リンク棒に伴って上リンク棒と下リンク棒との接続具を回転軸として円弧形位置規制溝内で摺動し、円弧形位置規制溝が係着ブロックを位置規制することができる。これによって、ユーザが係着ブロックの回転範囲を手動で制御する必要がないので、上リンク棒と下リンク棒が回転するときにユーザを挟み、けがをすることを防止することができる。
【図面の簡単な説明】
【００１５】
【図１】本考案の折り畳み式載物ラックの構造模式図である。
【図２】本考案の折り畳み式載物ラックの別の方向からの構造模式図である。
【図３】図１におけるＡの局所拡大図である。
【図４】本考案の折り畳み式載物ラックの折り畳み状態の模式図である。
【考案を実施するための形態】
【００１６】
以下、実施例及び図面を参照しながら本考案の機能及び利点をさらに説明する。
【００１７】
以下、本考案の複数の実施例を図面で開示する。説明を明確にするために、以下の説明では多くの実際的な詳細をまとめて説明する。しかし、これらの実際的な詳細は本考案を制限するものではないことが理解されたい。つまり、本考案のいくつかの実施例では、これらの実際的な詳細は必須なものではない。さらに、図面を簡略化するために、いくつかの従来の構造及び構成要素は、図面において単純な概略的な方式で示される。
【００１８】
なお、本考案の実施例において、すべての方向表示（例えば、上、下、左、右、前、後など）は、特定の姿勢（図面を参照）における構成要素の相対的な位置関係、動き状況などを説明するためにのみ使用され、上記特定の姿勢が変化すると、それに応じて方向表示も変化してしまう。
【００１９】
さらに、本考案において、「第１」、「第２」などに関連する用語は、目的を説明するものに過ぎず、順序を特に指すものではなく、本考案を限定するものでもない。このような用語は、同じ技術用語で説明される構成要素又は操作を区別するものに過ぎず、それらの相対的な重要性を示す又は示唆する、あるいは示された技術的特徴の数を暗示的に示すと理解すべきでない。したがって、「第１」及び「第２」で限定された特徴は、少なくとも１つのこの特徴を明示的又は暗示的に含むことができる。さらに、当業者によって実現可能である限り、各実施例間の技術手段は互いに組み合わせることができる。技術手段の組み合わせが互いに矛盾する、又は実現できない場合、このような技術手段の組み合わせは存在せず、本考案の保護範囲内にもないことを考慮すべきである。
【００２０】
本考案の内容、特徴、及び効果をさらに理解するために、以下、実施例及び図面を参照しながら詳しく説明する。
【００２１】
図１から３を参照されたい。図１は、本実施例の折り畳み式載物ラックの構造模式図である。図２は、本考案の折り畳み式載物ラックの別の方向からの構造模式図である。図３は、図１におけるＡの局所拡大図である。同図に示すように、折り畳み式載物ラックは、前ラック１と、後ラック２と、複数段のトレイ３と、折り畳み支持具４とを含む。複数段のトレイ３は、前ラック１と後ラック２との間に設けられ、各段のトレイ３の前端の左右両側は、前ラック１に回転可能に接続され、各段のトレイ３の後端の左右両側は、後ラック２に回転可能に接続される。折り畳み支持具４は、上リンク棒４１と下リンク棒４２を含み、上リンク棒４１の上端は、前ラック１に回転可能に接続され、上リンク棒４１の下端に円弧形位置規制溝４１１が設けられ、下リンク棒４２の下端は、後ラック２に回転可能に接続され、下リンク棒４２の上端に係着ブロック４２１が設けられ、上リンク棒４１の下端は、下リンク棒４２の上端に回転可能に接続され、係着ブロック４２１は、円弧形位置規制溝４１１に摺動可能に接続される。
【００２２】
図１から３に示すように、本実施例において、各段のトレイ３の前端の左右両側は、第１リベット１１を介して前ラック１に回転可能に接続され、各段のトレイ３の後端の左右両側は、第２リベット２１を介して後ラック２に回転可能に接続される。上リンク棒４１の上端は、第１リベット１１を介して前ラック１に回転可能に接続され、下リンク棒４２の下端は、第３リベット２２を介して後ラック２に回転可能に接続され、上リンク棒４１の下端及び下リンク棒４２の上端は、第４リベット４１２を介して下リンク棒４２に回転可能に接続される。
【００２３】
折り畳み式載物ラックが展開された場合、複数段のトレイ３はいずれも水平に配置され、上リンク棒４１と下リンク棒４２との間の夾角は１８０度である。
【００２４】
本実施例において、本実施例の折り畳み式載物ラックを折り畳む際に、任意の段のトレイ３の前ラック１に近い側を下に押圧するか、又は任意の段のトレイ３の後ラック２に近い側を上に突き上げることにより、トレイ３が第１リベット１１及び第２リベット２１の周りに回転し、同時に前ラック１が下に移動し、又は後ラック２が上に移動し、上リンク棒４１の上端が第１リベット１１の周りに回転し始め、下リンク棒４２の下端が第３リベット２２の周りに回転し始め、上リンク棒４１と下リンク棒４２との間の夾角が小さくなり、係着ブロック４２１が円弧形位置規制溝４１１内で摺動する。前ラック１と後ラックが合わせられると、本実施例の折り畳み式載物ラックは完全に折り畳まれる。
【００２５】
本実施例において、円弧形位置規制溝４１１は、上リンク棒４１と下リンク棒４２との接続箇所を円心とする。本実施例の折り畳み式載物ラックを折り畳む際に、係着ブロック４２１は、第４リベット４１２を回転軸として円弧形位置規制溝４１１内で摺動する。
【００２６】
図３に示すように、本実施例において、円弧形位置規制溝４１１は半円弧であり、半円弧の両端点の接続線は上リンク棒４１の軸方向に重なり合う。本実施例の折り畳み式載物ラックが完全に展開された場合、係着ブロック４２１は円弧形位置規制溝４１１の最上側に位置する。
【００２７】
図３に示すように、円弧形位置規制溝４１１は、上リンク棒４１の後ラック１に近い側に位置する。折り畳み式載物ラックが展開された場合、係着ブロック４２１は、円弧形位置規制溝４１１の最高位置に位置する。
【００２８】
図３に示すように、円弧形位置規制溝４１１内に位置規制突出ブロック４１１１が設けられる。折り畳み式載物ラックが展開されるときに、係着ブロック４２１は位置規制突出ブロック４１１１を通って摺動し、円弧形位置規制溝４１１の最高位置に到達する。本実施例の折り畳み式載物ラックが展開されるときに、位置規制突出ブロック４１１１は、係着ブロック４２１に対して位置規制の作用を奏する。これによって、本実施例の折り畳み式載物ラックが展開状態にあるときに、上リンク棒４１と下リンク棒４２がユーザの不意の接触により折り畳まれることが回避される。
【００２９】
図１、２に示すように、本実施例において、各側のトレイ３は、前ラック１との接触箇所の位置が後ラック２との接触箇所の位置よりも高い。これによって、本実施例の折り畳み式載物ラックの折り畳み又は展開は、より省力化、高速化される。
【００３０】
本実施例において、隣り合う２段のトレイ３の間の距離はトレイ３の長さに適合する。本実施例の折り畳み式載物ラックが折り畳まれた後、上段のトレイの下端は、ちょうどその下段のトレイの上端に位置する。
【００３１】
また、図２に示すように、本実施例において、各段のトレイ３の底部にはいずれも底網３１が設けられる。これによって、特定の適用である場合には、トレイ３に収容された製品を水切りすることができる。
【００３２】
さらに、図１、２に示すように、前ラック１及び後ラック２の下方に折り畳み式載物ラックを移動させるためのキャスター５が設けられる。キャスター５は、ブレーキ付きのユニバーサルホイールである。本実施例の折り畳み式載物ラックが傾斜位置に止まる場合、キャスター５は自動的にブレーキをかけることができ、これによって、本実施例の折り畳み式載物ラックの自動的な移動が回避される。
【００３３】
本実施例の折り畳み式載物ラックは、少なくとも２つのＵ型ストッパー６をさらに含む。少なくとも２つのＵ型ストッパー６は、前ラック１及び後ラック２に対称的に設けられ、トレイ３を位置規制するものである。図１及び４に示すように、本実施例において、Ｕ型ストッパー６の数は２つであり、２つのＵ型ストッパー６は、前ラック１及び後ラック２に対称的に設けられ、かつ最下段のトレイ３の下方に位置する。本実施例の折り畳み式載物ラックが展開された場合、最下段のトレイ３は、ちょうどＵ型ストッパー６に置かれることで、トレイ３の転倒を防止できる。本実施例の折り畳み式載物ラックが折り畳まれた後、Ｕ型ストッパー６は、引き続きトレイ３を位置規制する。
【００３４】
また、図１、２に示すように、本実施例の折り畳み式載物ラックは、フック７をさらに含む。フック７はトレイ３に掛かる。これによって、本実施例の折り畳み式載物ラックの使用可能なスペースは大きくなる。
【００３５】
本実施例の折り畳み式載物ラックの折り畳み方法の１つとして、
展開状態にある折り畳み式載物ラックを折り畳む必要がある場合、トレイ３の前ラック１に接続される側を下に押圧することにより、トレイ３が時計回りに回転し始め、前ラック１が下に移動しながら後ラック２に近づき、同時に上リンク棒４１が前ラック１に伴って下に移動し、第１リベット１１の周りに時計回りに回転し始め、下リンク棒４２上の係着ブロック４２１が位置規制突出ブロック４１１１を通って摺動し、第４リベット４１２を回転軸として円弧形位置規制溝４１１内で反時計回りに摺動し、同時に下リンク棒４２が第３リベット２２の周りに反時計回りに回転する。図４に示すように、上段のトレイ３の下端がその下段のトレイ３の上端にちょうど位置するときに、折り畳み式載物ラックは完全に折り畳まれる。
【００３６】
本実施例の折り畳み式載物ラックの折り畳み方法のもう１つとして、
展開状態にある折り畳み式載物ラックを折り畳む必要がある場合、トレイ３の後ラック２に接続される側を上に突き上げることにより、トレイ３が時計回りに回転し始め、後ラック２が上に移動し、前ラック１に近づき、同時に下リンク棒４２が後ラック２に伴って上に移動し、第３リベット２２の周りに反時計回りに回転し始め、下リンク棒４２上の係着ブロック４２１が位置規制突出ブロック４１１１を通って摺動し、第４リベット４１２を回転軸として円弧形位置規制溝４１１内で反時計回りに回転し、同時に上リンク棒４１が第１リベット１１の周りに時計回りに回転する。図４に示すように、上段のトレイ３の下端がその下段のトレイの上端にちょうど位置するときに、折り畳み式載物ラックは完全に折り畳まれる。
【００３７】
以上は、本考案の好ましい実施例に過ぎず、本考案を制限するものではない。本考案の精神及び原則の範囲内で行われる変更、同等の置換又は改良は、いずれも本考案の保護範囲に含まれるべきである。
【符号の説明】
【００３８】
１  前ラック
１１  第１リベット
２  後ラック
２１  第２リベット
２２  第３リベット
３  トレイ
３１  底網
４  折り畳み支持具
４１  上リンク棒
４１１  円弧形位置規制溝
４１１１  位置規制突出ブロック
４１２  第４リベット
４２  下リンク棒
４２１  係着ブロック
５  キャスター
６  Ｕ型ストッパー
７  フック
【図１】
0003228046.tif 000003
【図２】
0003228046.tif 000004
【図３】
0003228046.tif 000005
【図４】
0003228046.tif 000006